(57)【要約】【課題】従来一般の炭火コンロにおいて着火時の炭の積み上げや、火の調節が困難であることや、消火に手数がかかるとゆう不都合を解決すること。【解決手段】  多孔性金属板を使用した上部に開口部を有する籠１の底部に通気孔３を有する小炭受け金属板２を、容器の底部との間隔４を保つように落とし込んだことを特徴とする炉籠を既存のコンロに使用して、炭の積み上げや、火の調節、消火を簡便にして不都合を補う。またその炉籠の特性を生かした炭火コンロや補足機器（焼き網高さ調節機、火お越し機）でも炭の積み上げや、火の調節、消火を簡便にして不都合の解決をする。【選択図】  図１
2006132909.tif 000002
【特許請求の範囲】
【請求項１】
金網または多孔性金属板を使用した上部に開口部を有する籠１の底部に通気孔３を有する小炭受け金属板２を容器の底部との間隔４を保つように落とし込んだことを特徴とする炭火コンロ用炉籠。
【発明の詳細な説明】
【技術分野】
【０００１】  この発明は炭火コンロ用炉籠に関するもので、コンロに於ける炭の着火、燃焼、消火を容易にするためのものである。
【背景技術】
【０００２】  従来炭火コンロはその炉内に直接炭を入れ着火材やバーナで着火燃焼させ、下方から通気孔を利用して空気を取り入れ燃焼範囲を増大する方法、例えば（登録実用新案第３０３１５９５号）消火に際しては、炭火を外に取り出し炭消し壼に入れるか水をかける方法、あるいはコンロ自体に水をかけて消火する方法が主流である。
【特許文献１】  登録実用新案第３０３１５９５号
【発明が解決しようとする課題】
【０００３】  １  着火しやすくするための炭の積み重ねが困難であること。
【０００４】  ２  従来着火方法の一つとして金属製の着火用容器があったが、ガスバーナーで着火後容器に入った炭は下の方がよく着火燃焼しているため、コンロの炉に移し替える時容器を反転させて炭火を入れると着火の弱い炭が下方に、充分に着火した炭が上方に来る。結果もう一度炭火の上下を入れ替えしなければならないこと。
【０００５】  ３  コンロの炉部の大きさに比して調理素材が少ない場合、炭火を小さな範囲に集めるが、火力を弱めないための炭火の積み重ねが困難であること。
【０００６】  ４  消火する方法として炭火を火鋏で一つづつ取り出し水をかける方法、炭消し壼に入れて消火する方法、コンロ本体をひっくり返して炭火を外に出し水をかける方法、コンロ自体に直接水をかける方法があるが、手数がかかったりコンロ本体が歪んだり錆つく原因になったこと等の不都合を解決することを課題とする。
【課題を解決するための手段】
【０００７】  この課題を解決するための請求項１の発明は、金網または多孔性金属板（以下一括して多孔性金属板と総称する）を使用して、上部に開口部を有する籠（以下、籠と総称する）１の底部に通気孔３を有する小炭受け金属板２を、容器の底部との間隔４を保つように落とし込む。以上の構成からなる炭火コンロ用炉籠（以下炉籠と総称する）である。
【発明の効果】
【０００８】  本発明の炉籠を既存のコンロに使用することで炭の着火時における炭の積み上げが簡単になり、それをコンロに移動設置した際の炭の積み替え作業も不要になる。また火力の調節時における炭の増減の積み上げ、取り出しに対しても気使いがほとんど不要になった。
また炉籠の数の増減により火力を弱めることなく火力の範囲の調節ができる。
消火に際しては炉籠をコンロから取り出して消火するため、コンロ本体の歪みや錆による劣化を大きく遅らせることができる。
【発明を実施するための最良の形態】
【実施例１】
【０００９】  本発明の炉籠を既存の炭火用コンロで使用する場合について説明する。
コンロの炉部にゆとりを持って収納される大きさに設計された炉籠を選んで炭を入れる。炭は炉籠の周壁により自然に適度な空間を得て積み重ねた状態となるので、炭の積み重ねが簡単である。【００１０】  つぎにそれを直接バーナーやバーナーコンロで下から加熱する。
図２で示すように炭６は籠１の底部と小炭受け金属板２との通気孔を通過してきた炎熱８により積み重ねた炭の下方部から着火する。もちろん現在一般になされている着火方法である着火剤を使用する方法でも何ら差しつかえはない。【００１１】  次に図３で示すように補持棒９や防熱手袋等、安全につかめる道具でコンロの炉部に複数または単体で移動設置させる。着火用容器を使用しないので炭の積み換えは必要ない。火勢が増すのを待ちながらコンロ開口部上に焼網を乗せ、調理食材を乗せる。【００１２】  火力の調節は炉籠内の炭の増減でも行うが、その際にも炉籠の週壁により炭の積み上げ取り出しに対する配慮はほとんど不要である。また炉籠が複数設置されている場合はその数の増減で火力を弱めることなく火力の範囲の調節もでき作業が簡単である。【００１３】  消火に際してはコンロの中の炉から炉籠を補持棒９や火鋏で外に取り出し、直接水をかけるか水中に沈潜させるため消火は簡便であり、コンロ本体の歪みや錆についての配慮はほとんど不要である。【００１４】  あとは炉部内に残った小炭火の自然燃焼消滅による消火を待てばよい。
図２で示すように籠内の小炭受け金属板２は、通気孔３以外の部分が小炭火と灰を受ける構造になっている。炉籠を消火のため取り出した後コンロの炉内に残った小炭火の総量が少なければ短時間で自然消火することができる。【００１５】  しかし消火時間が多少長くなったり、下方の通気性能が多少悪くなってもてもよい場合は特に小炭受け金属板は設けなくてもよい。【００１６】次にこの炉籠を利用した新しい炭火コンロを実施例で説明する前に、本考案の根幹となる論拠を説明する。【００１７】  炭火は着火さえすれば周壁に囲まれた小さな火鉢の中でも火力を増大させることや、灰に埋もれた状態でも灰粒間の微細な通気だけで火力を保ちつずけることは周知の事実である。この発明は上記事実の応用である。【００１８】  図４はこの炉籠を開口部のみの容器の中で使用した場合の説明断面図である。
周辺にも下方にも通気機能を有する炉籠はそれ自体コンロの機能を有していて、収納した開口部のみの容器１４との間に適度な空間を設けることで充分に通気がなされ空気１２が炭火１３に供給されて火力を増大させていくことが可能である。
次に上記した炉籠の特性を利用した炭火コンロを提供する。
【実施例２】
【００１９】  図５は消火機能付き炭火コンロの１例である。
開口部の上端周囲に、蓋との密着面積を得るためと、コンロ容器の開口部強化のための縁板１７を有するコンロ容器１５と、コンロ内部と外気の通気を遮断するための取っ手１８つき平板蓋１６で構成されている。炉内に炭火入り炉籠１０を複数あるいは単体で設置する。容器開口部にあみをのせて使用。【００２０】前記説明のように本発明の炉籠は自然燃焼拡大をするために開口部以外は火勢増加のための通気孔は不要である。従って使用後の消火に際して平板蓋１６を開口上部の縁板に密着するように乗せるだけで、中の炭火に空気が供給されない気密性が得られ、容易に消火することが可能な消火機能付き炭火コンロを提供する。【００２１】  図６に示すように上記蓋の縁板と接する部分に不燃性と弾性を有する密着板２１を周設させより強力な気密性を得ることも可能である。この場合縁板１７は無くても良い。
【実施例３】
【００２２】  図７は前記消火機能付き炭火コンロの他の例である。
コンロ容器の開口部の縁には溝２２を周設する。蓋部外周には周り縁板２３を周設する。実施例１のように炭火コンロを使用。
消火に際しては図８に示すように、蓋の周り縁板２３をコンロに周設した溝２２に嵌め込む形に蓋をして溝２２に水２５を注ぎ込む。結果コンロ内に強力な気密性が得られ消火時間の短縮と確実性を得られるようになる消火機能付き炭火コンロを提供する。【００２３】  図９は上記コンロの蓋の他の例である縁付き切り欠き蓋２６である。
消火に際し、溝に水を注ぎ込むことによりコンロ内部に水蒸気が発生し、気圧が高くなる。その気圧を外へ逃がすため、注水時に蓋の周り縁板の喫水線２７以下になる所に内圧逃がし切り欠き部２８を設けてもよい。
なお上記実施例１、実施例２のコンロ蓋は食材焼き鉄板としての使用もでき、使用後は蓋止め器具（例えば図における係止金具１９係止片２０）を利用して収納容器として使用してもよい。
【実施例４】
【００２４】  図１０は焼き網高さ調節機能付き炉籠受け台コンロの１例を示し、
使用に際しては脚３１の付いた炉籠受け台２９の上の炉籠スペース３７に複数または単体の炭火入り炉籠１０をのせる。調理に必要な火力に応じて支持脚３０の上部と炭火との間隔を２本の支持脚相互間の角度を変えて調節する。締め付け具３２を締め、支持脚の角度を保持固定した後、炉籠を跨ぐ形に設置する。支持脚の設置場所の設計は炉台内でも炉台外でもよい。つぎに焼き網３６を焼き網滑止め３４に係止させる形でのせ、食材をのせて使用する。【００２５】  支持脚の角度を変えて高さを調節する締め付け具は、２枚の押え板３３と螺子部を有する握手部で構成されている（中間にクッション板を設けてもよい）締め付け具の軸部で貫通された２枚の押え板の各々に挿着された支持脚が対面する支持保持板３５と橋絡された形に構成されている。支持保持板は締め付け機能を持っても持たなくてもよい。
【実施例５】
【００２６】  図１１は前記実施例１、実施例２のコンロや他のコンロにも使用可能な焼き網高さ調節機の１例である。コンロの外部側壁に溶着した高さ調節用ストッパー３９を有する架台受け保持管４０を設ける、それに網受け架台３８の支持柱４１を挿脱可能に設けることで上にのせた焼き網３６を上下させ焼き加減の調節を可能にする。【００２７】高さ調節用ストッパー３９を少しゆるめ焼き網受け架台３８をコンロとのバランスが保てる範囲で水平回動させればコンロ内の作業が可能になる。網受け架台３８は、架台と支持柱４１を可動にすることで平面に収納も可能である。
【実施例６】
【００２８】  図１２は火起こし送風機を示し、実施例１、実施例２の消火機能付き炭火コンロにおいて性急に火力を増大させようと思えばこの火起こし送風機を使用すればよい。送風機の送風管４２の太さは焼き網３６の目を通過可能な太さである。その先端に前方に向かって横穴を設け排風口４５とする。その先端から他の端に向かってほぼコンロの炉の深さに近い所でゆるやかに湾曲する。湾曲部を境として排風口の反対側の送風管には断熱保持管４３が湾曲の直線になる近くまで被覆するようにして挿着される。【００２９】断熱保持管の端の口である送風口４６に口をあてて息を吹き込み、炉内の炭の下部に送風する。送風管４２が中間で湾曲しているので、炉内の熱が吹く人の顔に直接あたることはない。また送風口にアダプター４４を取り付けて浮き袋や自転車に使用する既存送風機を接続することで機械的送風も可能である。
【実施例７】
【００３０】  図１３は固定式火起し送風機保持管の説明図である。
上記コンロ内の炭火に機械的送風をするためにコンロ内壁に送風機保持管４９を溶着させる。そこに火起し送風機４７の送風管の先端を、焼き網の目、保持管の順に挿入し保持、送風口に既存送風機の送風管４８をアダプターで連結させ送風使用する。【００３１】  図１３は脱着式火起し送風機保持管の説明図である。保持管を下向きのコの字型の台に取り付け、その取り付け面と対面する側の面に設けた止め螺子５１でコンロ外壁に固定させ使用する、脱着式送風機保持管５０である。【００３２】  前記消火時において炉籠に水をかけたり水中に沈潜させるため炉籠は錆びたり歪んだりしやすい、したがって使用回数が減少することはやむをえない。
上記の理由で炉籠は消耗品と考え、予備用携帯炉籠が必要となる。しかし平らな小炭受け金属板は嵩張らないので携帯が容易であるが、容積のある籠は携帯に不便である。以下携帯の容易な籠を提供する。
【実施例８】
【００３３】  図１５は籠の外壁部を上部に向かって広げることで積み重ねた時、収容容積が減少され予備携帯が容易になる予備用携帯斜壁籠５２である。
【実施例９】
【００３４】  図１６は組み立て前の予備用携帯炉籠の他の例である十字形多孔性金属板である。
籠に組み立てる前の十字形多孔性金属板５３を平板で持ち運ぶ。使用に際しては中心部の短形を底に４つの壁になるよう折り曲げ籠の外壁（以下籠壁と総称する）とする。籠の開口部の四隅をの上部を咬止金具５４で固定する。以下その咬止金具５４の使用方法につき説明する。【００３５】  図１７は咬止金具５４の説明図を示す。塑性度が高く耐熱不燃性を有する金属を使用する。使用に際しては中心線５５を境に内側に少し折り曲げ、その中心から半分を先に作った籠壁の外側上部に折り曲げ部５７が突出するように押し当てる、その時櫛形差し込み部５６が籠壁の孔に差し込まれるようにする。次にもう一方の籠壁から浮き上がった半分を外壁に接するまで押し曲げると同時に櫛形差し込み部５６を籠壁の孔に差し込んだ後、先の突出させたままの折り曲げ部５７の２ケ所を籠壁の内側に折り曲げ、籠壁をしっかり挟み込むように咬止させる。【００３６】  図１８はその籠壁隅部拡大図である。
図１９は十字形多孔性金属板による籠の完成図である。
【実施例１０】
【００３７】  図２０は組み立て前の予備用携帯籠の他の例であるＨ字形の多孔性金属板である。
籠に組み立てる前のＨ字形の多孔性金属板５８を平板で持ち運び、使用に際しては中心部の矩形を底に二つの壁の形になるように折り曲げる。その籠壁の底の辺からはみ出した部分を他の底の辺に沿うように折り曲げる。そうしてできる籠壁面の重なり部分の上辺に、咬止金具５４の折り曲げ部５７が突出するように押し当てる。【００３８】その際咬止金具の櫛形差し込み部５６が、二重になった籠壁の孔に差し込まれるようにする。次に先の突出した折り曲げ部５７の２ケ所を籠壁の内側に折り曲げ、重なった２枚の籠壁をしっかり挟み込むように咬止させる。
図２１はＨ字形の多孔性金属板による籠の完成図である。
上記実施例中、着火燃焼の可能性のある部分は耐熱不燃性の高い素材使用が望ましい。
【産業上の利用可能性】
【００３９】  この発明の炉籠の構造はいたって簡単であるため安価なコストでの量産ができ産業上の利用可能性を有する。
【図面の簡単な説明】
【００４０】
【図１】本発明の炉籠の斜視図
【図２】本発明の着火説明図
【図３】本発明の炉籠の既存コンロでの使用説明斜視図
【図４】開口部のみのコンロの燃焼説明断面図
【図５】本発明の消火機能付き炭火コンロ斜視図
【図６】本発明の平板蓋裏斜視図
【図７】本発明の消火機能付き炭火コンロの他の例の斜視図
【図８】本発明の消火機能付き炭火コンロの他の例の断面図
【図９】縁付き切り欠き蓋斜視図
【図１０】焼き網高さ調節機能付き炉籠受け台コンロ斜視図
【図１１】焼き網高さ調節機の他の例の斜視図
【図１２】本発明の火お越し送風機説明断面図
【図１３】固定式火起し送風機保持管の斜視図
【図１４】脱着式火起し送風機保持管の斜視図
【図１５】予備用携帯斜壁籠断面図
【図１６】十字形多孔性金属板平面図
【図１７】咬止金具説明斜視図
【図１８】籠壁隅部拡大斜視図
【図１９】十字形多孔性金属板による籠の完成斜視図
【図２０】Ｈ字形の多孔性金属板の平面図
【図２１】Ｈ字形多孔性金属板による籠の完成斜視図
【符号の説明】
【００４１】１…籠  ２…小炭受け金属板  ３…通気孔  ４…間隔  ５…脚  ６…炭  ７…小炭火と灰  ８…炎熱  ９…補持棒  １０…炭火入り炉籠  １１…既存コンロ  １２…空気  １３…炭火  １４…開口部のみの容器  １５…コンロ容器  １６…平板蓋  １７…縁板  １８…取っ手  １９…係止金具  ２０…係止片  ２１…密着板  ２２…溝  ２３…周り縁板  ２４…縁付き蓋  ２５…水  ２６…縁付き切り欠き蓋  ２７…喫水線  ２８…内圧逃がし切り欠き部  ２９…炉籠受け台  ３０…支持脚  ３１…脚  ３２…締め付け具  ３３…押え板  ３４…焼き網滑止め  ３５…支持脚保持板  ３６…焼き網  ３７…炉籠スペース  ３８…網受け架台  ３９…高さ調節用ストッパー  ４０…架台受け保持管  ４１…支持柱  ４２…送風管  ４３…断熱保持管  ４４…アダプター  ４５…排風口  ４６…送風口  ４７…火お越し送風機  ４８…既存送風機の送風管  ４９…送風機保持管  ５０…脱着式送風機保持管  ５１…止め螺子  ５２…予備用携帯斜壁籠  ５３…十字形多孔性金属板  ５４…咬止金具  ５５…中心線  ５６…櫛形差し込み部  ５７…折り曲げ部  ５８…Ｈ字形多孔性金属板
【図１】
2006132909.tif 000003
【図２】
2006132909.tif 000004
【図３】
2006132909.tif 000005
【図４】
2006132909.tif 000006
【図５】
2006132909.tif 000007
【図６】
2006132909.tif 000008
【図７】
2006132909.tif 000009
【図８】
2006132909.tif 000010
【図９】
2006132909.tif 000011
【図１０】
2006132909.tif 000012
【図１１】
2006132909.tif 000013
【図１２】
2006132909.tif 000014
【図１３】
2006132909.tif 000015
【図１４】
2006132909.tif 000016
【図１５】
2006132909.tif 000017
【図１６】
2006132909.tif 000018
【図１７】
2006132909.tif 000019
【図１８】
2006132909.tif 000020
【図１９】
2006132909.tif 000021
【図２０】
2006132909.tif 000022
【図２１】
2006132909.tif 000023
【手続補正書】
【提出日】平成17年6月3日(2005.6.3)
【手続補正１】
【補正対象書類名】明細書
【補正対象項目名】全文
【補正方法】変更
【補正の内容】
【発明の詳細な説明】
【技術分野】
【０００１】  この発明は炭火コンロ用炉籠に関するもので、コンロに於ける炭の着火、燃焼、消火を容易にするためのものである。
【背景技術】
【０００２】  従来炭火コンロはその炉内に直接炭を入れ着火材やバーナで着火燃焼させ、下方から通気孔を利用して空気を取り入れ燃焼範囲を増大する方法、例えば（登録実用新案第３０３１５９５号）。消火に際しては、炭火を外に取り出し炭消し壼に入れるか水をかける方法、あるいはコンロ自体に水をかけて消火する方法が主流である。
【特許文献１】      登録実用新案第３０３１５９５号
【発明が解決しようとする課題】
【０００３】  １  着火しやすくするための炭の積み重ねが困難であること。
【０００４】  ２  従来着火方法の一つとして金属製の着火用容器があったが、ガスバーナーで着火後容器に入った炭は下の方がよく着火燃焼しているため、コンロの炉に移し替える時容器を反転させて炭火を入れると着火の弱い炭が下方に、充分に着火した炭が上方に来る。結果もう一度炭火の上下を入れ替えしなければならないこと。
【０００５】  ３  コンロの炉部の大きさに比して調理素材が少ない場合、炭火を小さな範囲に集めるが、火力を弱めないための炭火の積み重ねが困難であること。
【０００６】  ４  消火する方法として炭火を火鋏で一つづつ取り出し水をかける方法、炭消し壼に入れて消火する方法、コンロ本体をひっくり返して炭火を外に出し水をかける方法、コンロ自体に直接水をかける方法があるが、手数がかかったりコンロ本体が歪んだり錆つく原因になったこと等の不都合を解決することを課題とする。
【課題を解決するための手段】
【０００７】  この課題を解決するための請求項１の発明は、金網または多孔性金属板（以下一括して多孔性金属板と総称する）を使用して、上部に開口部を有する籠（以下、籠と総称する）１の底部に通気孔３を有する小炭受け金属板２を、容器の底部との間隔４を保つように落とし込む。以上の構成からなる炭火コンロ用炉籠（以下炉籠と総称する）である。
【発明の効果】
【０００８】  本発明の炉籠を既存のコンロに使用することで炭の着火時における炭の積み上げが簡単になり、それをコンロに移動設置した際の炭の積み替え作業も不要になる。また火力の調節時における炭の増減の積み上げ、取り出しに対しても気使いがほとんど不要になった。また炉籠の数の増減により火力を弱めることなく火力の範囲の調節ができる。
消火に際しては炉籠をコンロから取り出して消火するため、コンロ本体の歪みや錆による劣化を大きく遅らせることができる。
【発明を実施するための最良の形態】
【実施例１】
【０００９】  本発明の炉籠を既存の炭火用コンロで使用する場合について説明する。
コンロの炉部にゆとりを持って収納される大きさに設計された炉籠を選んで炭を入れる。炭は炉籠の周壁により自然に適度な空間を得て積み重ねた状態となるので、炭の積み重ねが簡単である。【００１０】  つぎにそれを直接バーナーやバーナーコンロで下から加熱する。
図２で示すように炭６は籠１の底部と小炭受け金属板２との通気孔を通過してきた炎熱８により積み重ねた炭の下方部から着火する。もちろん現在一般になされている着火方法である着火剤を使用する方法でも何ら差しつかえはない。【００１１】  次に図３で示すように補持棒９や防熱手袋等、安全につかめる道具でコンロの炉部に複数または単体で移動設置させる。着火用容器を使用しないので炭の積み換えは必要ない。火勢が増すのを待ちながらコンロ開口部上に焼網を乗せ、調理食材を乗せる。【００１２】  火力の調節は炉籠内の炭の増減でも行うが、その際にも炉籠の周壁により炭の積み上げ取り出しに対する配慮はほとんど不要である。また炉籠が複数設置されている場合はその数の増減で火力を弱めることなく火力の範囲の調節もでき作業が簡単である。【００１３】  消火に際してはコンロの中の炉から炉籠を補持棒９や火鋏で外に取り出し、直接水をかけるか水中に沈潜させるため消火は簡便であり、コンロ本体の歪みや錆についての配慮はほとんど不要である。【００１４】  あとは炉部内に残った小炭火の自然燃焼消滅による消火を待てばよい。
図２で示すように籠内の小炭受け金属板２は、通気孔３以外の部分が小炭火と灰を受ける構造になっている。炉籠を消火のため取り出した後コンロの炉内に残った小炭火の総量が少なければ短時間で自然消火することができる。【００１５】  しかし消火時間が多少長くなったり、下方の通気性能が多少悪くなってもてもよい場合は特に小炭受け金属板は設けなくてもよい。【００１６】次にこの炉籠を利用した新しい炭火コンロを実施例で説明する前に、本考案の根幹となる論拠を説明する。【００１７】  炭火は着火さえすれば周壁に囲まれた小さな火鉢の中でも火力を増大させることや、灰に埋もれた状態でも灰粒間の微細な通気だけで火力を保ちつずけることは周知の事実である。この発明は上記事実の応用である。【００１８】  図４はこの炉籠を開口部のみの容器の中で使用した場合の説明断面図である。
周辺にも下方にも通気機能を有する炉籠はそれ自体コンロの機能を有していて、収納した開口部のみの容器１４との間に適度な空間を設けることで充分に通気がなされ空気１２が炭火１３に供給されて火力を増大させていくことが可能である。
次に上記した炉籠の特性を利用した炭火コンロを提供する。
【実施例２】
【００１９】  図５は消火機能付き炭火コンロの１例である。
開口部の上端周囲に、蓋との密着面積を得るためと、コンロ容器の開口部強化のための縁板１７を有するコンロ容器１５と、コンロ内部と外気の通気を遮断するための取っ手１８つき平板蓋１６で構成されている。炉内に炭火入り炉籠１０を複数あるいは単体で設置する。容器開口部にあみをのせて使用。【００２０】前記説明のように本発明の炉籠は自然燃焼拡大をするために開口部以外は火勢増加のための通気孔は不要である。従って使用後の消火に際して平板蓋１６を開口上部の縁板に密着するように乗せるだけで、中の炭火に空気が供給されない気密性が得られ、容易に消火することが可能な消火機能付き炭火コンロを提供する。【００２１】  図６に示すように上記蓋の縁板と接する部分に不燃性と弾性を有する密着板２１を周設させより強力な気密性を得ることも可能である。この場合縁板１７は無くても良い。
【実施例３】
【００２２】  図７は前記消火機能付き炭火コンロの他の例である。
コンロ容器の開口部の縁には溝２２を周設する。蓋部外周には周り縁板２３を周設する。実施例１のように炭火コンロを使用。
消火に際しては図８に示すように、蓋の周り縁板２３をコンロに周設した溝２２に嵌め込む形に蓋をして溝２２に水２５を注ぎ込む。結果コンロ内に強力な気密性が得られ消火時間の短縮と確実性を得られるようになる消火機能付き炭火コンロを提供する。【００２３】  図９は上記コンロの蓋の他の例である縁付き切り欠き蓋２６である。
消火に際し、溝に水を注ぎ込むことによりコンロ内部に水蒸気が発生し、気圧が高くなる。その気圧を外へ逃がすため、注水時に蓋の周り縁板の喫水線２７以下になる所に内圧逃がし切り欠き部２８を設けてもよい。
なお上記実施例１、実施例２のコンロ蓋は食材焼き鉄板としての使用もでき、使用後は蓋止め器具（例えば図における係止金具１９係止片２０）を利用して収納容器として使用してもよい。
【実施例４】
【００２４】図１０は前記【００２３】で触れた食材焼き鉄板としての使用説明図である。
コンロ容器内にあるのは、炭火入り炉籠と蓋兼用焼き用鉄板２９（以下兼用鉄板と総称する）が搭載可能な、せり上げ式炉籠、鉄板受け架台３０（以下架台と総称する）である。その形態は係止部５５と鉄板受け部５６を有した壁状面を左右に有し、その下部を炉籠を載せる平面で橋絡する形に構成されている。その大きさはコンロ容器内に完全に収納される容積である。【００２５】使用形態は架台平面部に炭火入り炉籠を載せ、左右の壁面上部に兼用鉄板を載せてコンロ容器内からせり上げる。左右の係止部５５を架台係止金具５４の先端に載せると同時に金具の他の一方をコンロ容器の縁板１７または縁に差し込む、その結果コンロ容器と兼用鉄板５２との間に空間が保持され炭火は燃焼可能な状態となる。【００２６】消火に際しては、左右の架台係止金具５４を抜き取ることで、炭火の搭載された架台はコンロ容器内に収納され兼用鉄板５２で蓋をすることにより、外気が遮断されて炭火の消火が可能となる。
【実施例５】
【００２７】図１１は焼き網高さ調節機能付き炉籠受け台コンロの１例を示し、
使用に際しては脚３６の付いた炉籠受け台３４の上の炉籠スペース４２に複数または単体の炭火入り炉籠１０をのせる。調理に必要な火力に応じて支持脚３５の上部と炭火との間隔を２本の支持脚相互間の角度を変えて調節する。締め付け具３７を締め、支持脚の角度を保持固定した後、炉籠を跨ぐ形に設置する。支持脚の設置場所の設計は炉台内でも炉台外でもよい。つぎに焼き網４１を焼き網滑止め３９に係止させる形でのせ、食材をのせて使用する。【００２８】  支持脚の角度を変えて高さを調節する締め付け具は、２枚の押え板４３と螺子部を有する握手部で構成されている（中間にクッション板を設けてもよい）締め付け具の軸部で貫通された２枚の押え板の各々に挿着された支持脚が対面する支持脚保持板４０と橋絡された形に構成されている。支持脚保持板は締め付け機能を持っても持たなくてもよい。
【実施例６】
【００２９】図１２は前記実施例１、実施例２のコンロや他のコンロにも使用可能な焼き網高さ調節機の１例である。コンロの外部側壁に溶着した高さ調節用ストッパー３９を有する架台受け保持管４５を設ける、それに網受け架台４３の支持柱４６を挿脱可能に設けることで上にのせた焼き網４１を上下させ焼き加減の調節を可能にする。【００３０】高さ調節用ストッパー４４を少しゆるめ網受け架台４３をコンロとのバランスが保てる範囲で水平回動させればコンロ内の作業が可能になる。網受け架台３８は、架台と支持柱４１を可動にすることで平面に収納も可能である。
【実施例７】
【００３１】図１３は火起こし送風機を示し、実施例１、実施例２の消火機能付き炭火コンロにおいて性急に火力を増大させようと思えばこの火起こし送風機を使用すればよい。送風機の送風管４７の太さは焼き網４１の目を通過可能な太さである。その先端に前方に向かって横穴を設け排風口５０とする。その先端から他の端に向かってほぼコンロの炉の深さに近い所でゆるやかに湾曲する。湾曲部を境として排風口の反対側の送風管には断熱保持管４８が湾曲の直線になる近くまで被覆するようにして挿着される。【００３２】断熱保持管の端の口である送風口５１に口をあてて息を吹き込み、炉内の炭の下部に送風する。送風管４７が中間で湾曲しているので、炉内の熱が吹く人の顔に直接あたることはない。また送風口にアダプター４９を取り付けて浮き袋や自転車に使用する既存送風機を接続することで機械的送風も可能である。
【実施例８】
【００３３】図１４は固定式火起し送風機保持管の説明図である。
上記コンロ内の炭火に機械的送風をするためにコンロ内壁に送風機保持管５４を溶着させる。そこに火起し送風機５２の送風管の先端を、焼き網の目、保持管の順に挿入し保持、送風口に既存送風機の送風管５３をアダプターで連結させ送風使用する。【００３４】図１５は脱着式火起し送風機保持管の説明図である。保持管を下向きのコの字型の台に取り付け、その取り付け面と対面する側の面に設けた止め螺子５１でコンロ外壁に固定させ使用する、脱着式送風機保持管５５である。【００３５】  前記消火時において炉籠に水をかけたり水中に沈潜させるため炉籠は錆びたり歪んだりしやすい、したがって使用回数が減少することはやむをえない。
上記の理由で炉籠は消耗品と考え、予備用携帯炉籠が必要となる。しかし平らな小炭受け金属板は嵩張らないので携帯が容易であるが、容積のある籠は携帯に不便である。以下携帯の容易な籠を提供する。
【実施例９】
【００３６】図１６は籠の外壁部を上部に向かって広げることで積み重ねた時、収容容積が減少され予備携帯が容易になる予備用携帯斜壁籠５７である。
【実施例１０】
【００３７】図１７は組み立て前の予備用携帯炉籠の他の例である十字形多孔性金属板である。
籠に組み立てる前の十字形多孔性金属板５８を平板で持ち運ぶ。使用に際しては中心部の短形を底に４つの壁になるよう折り曲げ籠の外壁（以下籠壁と総称する）とする。籠の開口部の四隅をの上部を咬止金具５９で固定する。以下その咬止金具５９の使用方法につき説明する。【００３８】図１８は咬止金具５９の説明図を示す。使用素材は塑性度が高く耐熱不燃性を有する金属である。使用に際しては中心線６０を境に内側に少し折り曲げ、その中心から半分を先に作った籠壁の外側上部に折り曲げ部６２が突出するように押し当てる、その時櫛形差し込み部６１が籠壁の孔に差し込まれるようにする。次にもう一方の籠壁から浮き上がった半分を外壁に接するまで押し曲げると同時に櫛形差し込み部６１を籠壁の孔に差し込んだ後、先の突出させたままの折り曲げ部６２の２ケ所を籠壁の内側に折り曲げ、籠壁をしっかり挟み込むように咬止させる。【００３９】図１９はその籠壁隅部拡大図である。
図２０は十字形多孔性金属板による籠の完成図である。
【実施例１１】
【００４０】図２１は組み立て前の予備用携帯籠の他の例であるＨ字形の多孔性金属板である。
籠に組み立てる前のＨ字形多孔性金属板６３を平板で持ち運び、使用に際しては中心部の矩形を底に二つの壁の形になるように折り曲げる。その籠壁の底の辺からはみ出した部分を他の底の辺に沿うように折り曲げる。そうしてできる籠壁面の重なり部分の上辺に、咬止金具５９の折り曲げ部６２が突出するように押し当てる。【００４１】その際咬止金具の櫛形差し込み部６１が、二重になった籠壁の孔に差し込まれるようにする。次に先の突出した折り曲げ部６３の２ケ所を籠壁の内側に折り曲げ、重なった２枚の籠壁をしっかり挟み込むように咬止させる。
図２２はＨ字形の多孔性金属板による籠の完成図である。
上記実施例中、着火燃焼の可能性のある部分は耐熱不燃性の高い素材使用が望ましい。
【産業上の利用可能性】
【００４２】  この発明の炉籠の構造はいたって簡単であるため安価なコストでの量産ができ産業上の利用可能性を有する。
【図面の簡単な説明】
【００４３】
【図１】本発明の炉籠の斜視図
【図２】本発明の着火説明図
【図３】本発明の炉籠の既存コンロでの使用説明斜視図
【図４】開口部のみのコンロの燃焼説明断面図
【図５】本発明の消火機能付き炭火コンロ斜視図
【図６】本発明の平板蓋裏斜視図
【図７】本発明の消火機能付き炭火コンロの他の例の斜視図
【図８】本発明の消火機能付き炭火コンロの他の例の断面図
【図９】縁付き切り欠き蓋斜視図
【図１０】本発明の消火機能付き炭火コンロの蓋兼食材焼き鉄板としての使用図
【図１１】焼き網高さ調節機能付き炉籠受け台コンロ斜視図
【図１２】焼き網高さ調節機の他の例の斜視図
【図１３】本発明の火お越し送風機説明断面図
【図１４】固定式火起し送風機保持管の斜視図
【図１５】脱着式火起し送風機保持管の斜視図
【図１６】予備用携帯斜壁籠断面図
【図１７】十字形多孔性金属板平面図
【図１８】咬止金具説明斜視図
【図１９】籠壁隅部拡大斜視図
【図２０】十字形多孔性金属板による籠の完成斜視図
【図２１】Ｈ字形の多孔性金属板の平面図
【図２２】Ｈ字形多孔性金属板による籠の完成斜視図
【符号の説明】
【００４４】１…籠  ２…小炭受け金属板  ３…通気孔  ４…間隔  ５…脚  ６…炭  ７…小炭火と灰  ８…炎熱  ９…補持棒  １０…炭火入り炉籠  １１…既存コンロ  １２…空気  １３…炭火  １４…開口部のみの容器  １５…コンロ容器  １６…平板蓋  １７…縁板  １８…取っ手  １９…係止金具  ２０…係止片  ２１…密着板  ２２…溝  ２３…周り縁板  ２４…縁付き蓋  ２５…水  ２６…縁付き切り欠き蓋  ２７…喫水線  ２８…内圧逃がし切り欠き部２９…蓋兼用焼き用鉄板３０…せり上げ式炉籠、鉄板受け架台３１…架台係止金具３２…係止部３３…鉄板受け部３４…炉籠受け台３５…支持脚３６…脚３７…締め付け具３８…押え板３９…焼き網滑止め４０…支持脚保持板４１…焼き網４２…炉籠スペース４３…網受け架台４４…高さ調節用ストッパー４５…架台受け保持管４６…支持柱４７…送風管４８…断熱保持管４９…アダプター５０…排風口５１…送風口５２…火お越し送風機５３…既存送風機の送風管５４…送風機保持管５５…脱着式送風機保持管５６…止め螺子５７…予備用携帯斜壁籠５８…十字形多孔性金属板５９…咬止金具６０…中心線６１…櫛形差し込み部６２…折り曲げ部６３…Ｈ字形多孔性金属板
【手続補正２】
【補正対象書類名】図面
【補正対象項目名】全図
【補正方法】変更
【補正の内容】
【図１】
2006132909.tif 000024
【図２】
2006132909.tif 000025
【図３】
2006132909.tif 000026
【図４】
2006132909.tif 000027
【図５】
2006132909.tif 000028
【図６】
2006132909.tif 000029
【図７】
2006132909.tif 000030
【図８】
2006132909.tif 000031
【図９】
2006132909.tif 000032
【図１０】
2006132909.tif 000033
【図１１】
2006132909.tif 000034
【図１２】
2006132909.tif 000035
【図１３】
2006132909.tif 000036
【図１４】
2006132909.tif 000037
【図１５】
2006132909.tif 000038
【図１６】
2006132909.tif 000039
【図１７】
2006132909.tif 000040
【図１８】
2006132909.tif 000041
【図１９】
2006132909.tif 000042
【図２０】
2006132909.tif 000043
【図２１】
2006132909.tif 000044
【図２２】
2006132909.tif 000045